(57)【特許請求の範囲】
【請求項１】
略四角形形状の本体天板と、該本体天板の各辺に接続された本体側板と、該本体天板に対向して設けられ、開口が形成された本体開口面と、を有する箱型の本体と、
前記本体の内部に設置されている送風ファンと、
前記送風ファンを包囲するように前記本体の内部に設置されている熱交換器と、
前記本体の内部であって前記熱交換器の下方に配置され、前記熱交換器で生成された凝縮水を貯水可能なドレン貯水部を有するドレンパンと、を有し、
前記本体には、
前記本体開口面の外周側に、前記本体開口面の開口から吸い込まれ、前記熱交換器を通過した空気を前記本体の外部へと吹き出す本体吹出口が複数形成されており、
前記本体吹出口は、
前記本体側板に沿って形成された本体吹出口外側壁と、
前記本体吹出口外側壁に対向配置された本体吹出口内側壁と、
前記本体吹出口外側壁と前記本体吹出口内側壁を連結する本体吹出口端部壁と、によって形成され、
前記本体吹出口端部壁は、前記ドレン貯水部と前記本体吹出口の間に立設しており、
前記本体吹出口端部壁の少なくとも一つに、前記本体天板側から前記本体開口面に近づく程、前記本体吹出口の中央部に向かって突出し、前記本体吹出口内側壁に連続した傾斜ガイド上面を具備する傾斜ガイドが設けられている
ことを特徴とする空気調和機の室内機。
【請求項２】
前記本体吹出口端部壁は、前記ドレンパンと一体に構成される
ことを特徴とする請求項１に記載の空気調和機の室内機。
【請求項３】
前記傾斜ガイドは、前記ドレンパンと一体構成、または、前記ドレンパンとは別部品として構成される
ことを特徴とする請求項１に記載の空気調和機の室内機。
【請求項４】
前記傾斜ガイドには、間隔を空けて前記本体吹出口外側壁に平行で、前記本体開口面に垂直な傾斜ガイドスリットが形成され、
前記熱交換器を通過した空気の一部が前記傾斜ガイドスリットを通過して前記傾斜ガイドの下面の間から下方に向かって吹き出される
ことを特徴とする請求項１〜請求項３のいずれか一項に記載の空気調和機の室内機。
【請求項５】
前記本体吹出口外側壁の少なくとも一つに偏向ガイドが設けられ、
前記偏向ガイドは、
前記本体吹出口外側壁の前記本体吹出口端部壁側から前記本体吹出口の中央部に近づく程、および前記本体吹出口外側壁の上方から下方に近づく程、前記本体吹出口内側壁に接近する偏向ガイド上面を具備する
ことを特徴とする請求項１〜請求項４のいずれか一項に記載の空気調和機の室内機。
【請求項６】
前記偏向ガイドには、間隔を空けて前記本体吹出口外側壁および前記本体開口面の両方に垂直な偏向ガイドスリットが形成されている
ことを特徴とする請求項５に記載の空気調和機の室内機。
【請求項７】
前記熱交換器が、熱交換器冷媒受給部および熱交換器冷媒折返部を有し、
前記熱交換器冷媒受給部と前記熱交換器冷媒折返部との間の前記本体開口面側にはドレンパンが配置されず、
前記本体吹出口端部壁のうち、前記熱交換器冷媒受給部および前記熱交換器冷媒折返部に対応した位置にある本体吹出口端部壁には、前記傾斜ガイドが設けられない
ことを特徴とする請求項１〜請求項６のいずれか一項に記載の空気調和機の室内機。
【発明の詳細な説明】
【技術分野】
【０００１】
本発明は空気調和機の室内機、特に、中央部に配置された空気吸引口と、該空気吸引口を囲むように配置された空気吹出口を具備する空気調和機の室内機に関する。
【背景技術】
【０００２】
従来の天井埋込型の空気調和機の室内機は、天井裏に埋設され断面正方形の筐体と、筐体の中央部に配置されたファンおよび空気吸引口と、ファンを囲むように配置された熱交換器とを具備している。したがって、ファンによって略上方に吸引された室内空気は、ファン内で周囲に向かう略水平方向の風流れとなった後、熱交換器を通過したところで下方に向けて方向転換し、空気吹出口から室内に吹き出される。
その際、空気流れは筐体の内面に案内されて方向転換するものであるが、空気流れには慣性があるため、確実に方向転換されないで、筐体の内面に近い範囲（ファンから遠い範囲）の流速が大きくなって吹出口の風速分布が不均一化していた。
そこで、筐体の内面に三角柱状の偏向ガイドを設置し、偏向ガイドに対向した熱交換器の下方の壁面を陥没させて風路壁部を設け、風路断面積がほぼ一定となるようにすると共に、偏向ガイドの下流側の端部直後に拡大風路部を設けた風速一様化手段（吹出口の風速分布を均一化する手段）が開示されている（例えば、特許文献１参照）。
【先行技術文献】
【特許文献】
【０００３】
【特許文献１】特許第３２４０８５４号公報（第４頁、第２図）
【発明の概要】
【発明が解決しようとする課題】
【０００４】
特許文献１に開示された風速一様化手段は、吹出口の風速分布を均一化することができるから、冷房時における風向ベーンの着露防止と、スマッジングの防止とを概ね可能にしているものの、以下のような問題があった。
なお、スマッジングとは、空気吹出口の吹出口長手方向（筐体の側面に平行な方向に同じ）の端部から吹き出された空気が、部屋の汚れた空気を巻き込みながら天井へ吹き付けられることで、天井が汚れてしまうことをいう。
（イ）風速分布が均一化されるものの、偏向ガイドの吹出口長手方向の形状は規定されていないため、流れが吹出口長手方向の全域において制御することができていないため、吹出口長手方向の端部で風速が低下ぎみになっていた。このため、吹き出された空気に部屋の高湿空気が混合され、結露してしまうおそれがあった。
（ロ）また、吹出口長手方向の端部の風速が低下ぎみであると、風向ベーンにより天井面方向へ吹き出す場合、吹出口長手方向の中央部の吹出主流域に対し即座に天井面に流れが付着してしまう。そうすると、部屋の汚れた空気を巻き込んで天井面に吹き付けるため、天井面を汚してしまうおそれがある。
（ハ）さらに、吹出口長手方向の端部からの流れを制御するためには、偏向ガイドの吹出口長手方向の長さが必要以上に長くなってしまい、風路の通風抵抗が増加し、その結果、ファンの負荷トルクが増加しモータの消費電力が増加するおそれがあった。
【０００５】
本発明は上述のような問題を解消するためになされたもので、吹出口の長手方向の端部における結露防止やスマッジング防止が可能で、省エネ効果を有する空気調和機の室内機を得ることを目的とする。
【課題を解決するための手段】
【０００６】
本発明に係る空気調和機の室内機は、
略四角形形状の本体天板と、該本体天板の各辺に接続された本体側板と、該本体天板に対向して設けられ、開口が形成された本体開口面と、を有する箱型の本体と、
前記本体の内部に設置されている送風ファンと、
前記送風ファンを包囲するように前記本体の内部に設置されている熱交換器と、
前記本体の内部であって前記熱交換器の下方に配置され、前記熱交換器で生成された凝縮水を貯水可能なドレン貯水部を有するドレンパンと、を有し、
前記本体には、
前記本体開口面の外周側に、前記本体開口面の開口から吸い込まれ、前記熱交換器を通過した空気を前記本体の外部へと吹き出す本体吹出口が複数形成されており、
前記本体吹出口は、
前記本体側板に沿って形成された本体吹出口外側壁と、
前記本体吹出口外側壁に対向配置された本体吹出口内側壁と、
前記本体吹出口外側壁と前記本体吹出口内側壁を連結する本体吹出口端部壁と、によって形成され、
前記本体吹出口端部壁は、前記ドレン貯水部と前記本体吹出口の間に立設しており、
前記本体吹出口端部壁の少なくとも一つに、前記本体天板側から前記本体開口面に近づく程、前記本体吹出口の中央部に向かって突出し、前記本体吹出口内側壁に連続した傾斜ガイド上面を具備する傾斜ガイドが設けられているものである。
【発明の効果】
【０００７】
本発明によれば、熱交換器を通過した流れが、本体吹出口へ向かう際、ドレンパンのドレン貯水部ら本体吹出口端部壁を乗り越えて本体吹出口に流入し、傾斜ガイドにガイドされ、これに沿って剥離せずに本体吹出口から吹き出される。その結果、本体吹出口における風速分布が均一化され、本体吹出口端部壁に近い範囲における空気の流れが安定化する。これによって、部屋の高湿空気が本体吹出口へ流入しなくなるため、結露防止やスマッジングを抑制できる。
【図面の簡単な説明】
【０００８】
【図１】本発明の実施の形態１に係る空気調和機の室内機を説明する外観図。
【図２】図１に示す空気調和機の室内機を説明する側面視の断面図。
【図３】図１に示す空気調和機の室内機を説明する平面視の断面図。
【図４】図１に示す空気調和機の室内機を説明する一部を示す側面視の拡大断面図。
【図５】図１に示す空気調和機の室内機を説明する一部を示す側面視の拡大斜視図。
【図６】図１に示す空気調和機の室内機を説明する一部を示す正面視の断面図。
【図７】本発明の実施の形態２に係る空気調和機の室内機を説明する断面図。
【図８】図７に示す空気調和機の室内機を説明する一部を示す側面視の拡大断面図。
【図９】図７に示す空気調和機の室内機を説明する一部を示す側面視の拡大斜視図。
【図１０】図７に示す空気調和機の室内機を説明する一部を示す正面視の断面図。
【図１１】本発明の実施の形態３に係る空気調和機の室内機を説明する断面図。
【図１２】図１１に示す空気調和機の室内機を説明する一部を拡大して示す断面図。
【図１３】図１１に示す空気調和機の室内機を説明する一部を拡大して示す斜視図。
【図１４】本発明の実施の形態４に係る空気調和機の室内機を説明する断面図。
【図１５】図１４に示す空気調和機の室内機を説明する一部を拡大して示す斜視図。
【図１６】本発明の実施の形態５に係る空気調和機の室内機を説明する断面図。
【図１７】図１６に示す空気調和機の室内機を説明する一部を拡大して示す断面図。
【図１８】図１６に示す空気調和機の室内機を説明する一部を拡大して示す斜視図。
【発明を実施するための形態】
【０００９】
［実施の形態１］
（空気調和機の室内機−その１）
図１〜図６は本発明の実施の形態１に係る空気調和機の室内機を説明するものであって、図１は設置状況を示す部屋から見た外観図、図２は中心軸を含む面における側面視の断面図、図３は平面視の断面図、図４は本体吹出口付近を拡大して示す側面視の断面図、図５は本体吹出口端部付近を拡大して示す側面視の斜視図、図６は本体吹出口付近を示す正面視（図３のＡ−Ａ）の断面図を示す。
なお、各図において同じ部分または相当する部分には同じ符号を付している。また、各図は模式的に描いたものであって、本発明は図示された形態に限定するものではない。
さらに、実施の形態１では天井埋込形の空気調和機の室内機を例に説明するが、本発明はこれに限定されるものではなく、ファン及び熱交換器を搭載し冷暖房空調が可能な空気調和機の室内機に広く適用できるものである。
【００１０】
（室内機本体）
図１〜図６において、空気調和機の室内機１００の室内機本体１０は、略四角形形状の本体天板１０ａと、本体天板１０ａの各辺に接続された本体側板１０ｂとから形成され、本体天板１０ａに対向する面が開口した本体開口面１０ｅになっている函体（箱型）である。
室内機本体１０は、部屋９０の天井９１に形成された凹部に本体開口面１０ｅを部屋側（下側）にして設置され、本体天板１０ａが天井９１に平行で、本体開口面１０ｅ（本体側板１０ｂの下縁に同じ）が天井９１と略同一面に位置している（図２参照）。
以下、説明を容易にするため、天井９１を水平として、上方向を「＋Ｚ方向（またはＺ軸）」、特定の本体側板１０ｂについて、本体側板１０ｂに垂直で室内機本体１０の中心軸Ｏ（オー）に向かう方向を「＋Ｙ方向（またはＹ軸）」、本体側板１０ｂに平行でＹ軸から離れる方向を「＋Ｘ方向（またはＸ軸）」とする座標系を仮定する。なお、本体側板１０ｂは平面視で略矩形（４箇所の直線部を具備している）であるため、それぞれの辺（直線部）において、本体側板１０ｂに平行でＹ軸から離れる方向が２方向にあることから、それぞれの辺毎に、２つの座標系が存在するとした。また、それぞれの辺に対応した同様の部材や同様の部位については、各図において一部の符号の記載を省略している（図３参照）。
【００１１】
そして、室内機本体１０の本体開口面１０ｅの下方には、平面視（Ｘ−Ｙ面）で略四角形状の化粧パネル１１が取付けられている。すなわち、化粧パネル１１は天井９１と略同一面内に位置し、部屋９０に面している。
また、化粧パネル１１の中央付近には室内機本体１０への空気の吸込口である吸込グリル１１ａが形成され、吸込グリル１１ａを取り囲むように化粧パネル１１の各辺に沿った化粧パネル吹出口１１ｂが形成されている。さらに、吸込グリル１１ａの上側（＋Ｚ方向、吸込空気の下流側に同じ）には吸込グリル１１ａを通過した空気を除塵するフィルタ１２が設置され、化粧パネル吹出口１１ｂにはそれぞれ風向ベーン１３が設置されている（図２参照）。
【００１２】
室内機本体１０の内部の中央にはターボファン（送風ファンに同じ）１が配置され、ターボファン１を回転駆動するファンモータ１５が本体天板１０ａに設置されている。ターボファン１およびファンモータ１５の回転中心が室内機本体１０の中心軸Ｏ（オー）に一致している。
そして、ターボファン１に吸い込まれる空気の吸込風路を形成するベルマウス１４が、フィルタ１２とターボファン１との間に配置され、ベルマウス１４に包囲された範囲が本体吸込口１０ｃとなっている（図２参照）。
【００１３】
（本体吹出口）
さらに、ターボファン１の外周側を囲むように平面視で略四角形状に形成された熱交換器１６が本体天板１０ａに立設され（図３参照）、図示しない接続配管によって室外機に接続されている。熱交換器１６の下部には熱交換器１６で生成される凝縮水を一時貯水するドレン貯水部１８ａを具備するドレンパン１８が配設され、ドレンパン１８と本体側板１０ｂの直線部との間において、４箇所に本体吹出口１０ｄが形成されている（図２および図３参照）。
このとき、室内機本体１０の本体吸込口１０ｃと化粧パネル１１の吸込グリル１１ａとが平面視において略重なって吸込空気が連通自在に、室内機本体１０の本体吹出口１０ｄと化粧パネル１１の化粧パネル吹出口１１ｂとが平面視において略重なって吹出空気が連通自在になっている。
【００１４】
本体吹出口１０ｄは、平面視（Ｘ−Ｙ面）において略台形状であって、Ｘ軸に平行で本体側板１０ｂ側（−Ｙ方向側）の本体吹出口外側壁１０ｄ２と、Ｘ軸に平行で熱交換器１６側（＋Ｙ方向側）の本体吹出口内側壁１０ｄ４と、本体吹出口１０ｄの長手（Ｘ軸）方向の端部である一対（＋Ｘ方向）の本体吹出口端部壁１０ｄ１と、の各壁によって囲まれている。
【００１５】
（偏向ガイド）
図３〜図５において、本体吹出口１０ｄの本体吹出口外側壁１０ｄ２の長手方向（Ｘ方向）の端部には、本体吹出口端部壁１０ｄ１の近くにそれぞれ偏向ガイド２が設けられている。偏向ガイド２は、Ｚ方向については、風向ベーン１３の上流側（＋Ｚ方向）である本体吹出口外側壁１０ｄ２に沿った所定範囲に設置され、下方（−Ｚ方向、調和空気の下流側）になる程−Ｘ方向および＋Ｙ方向に向かって突出している。このため、側面視（Ｙ−Ｚ面）で直角三角形の偏向ガイド端面２ｃを具備している。
また、Ｘ方向については、本体吹出口端部壁１０ｄ１から本体吹出口１０ｄの本体側板１０ｂの直線部（以下、「長手方向」と称す場合がある）の中央である本体吹出口中央部１０ｄ３（−Ｘ方向に同じ）へ向かって所定範囲に伸びている。このため、偏向ガイド２は、正面視（Ｘ−Ｚ面）で矩形状であって、台形状の偏向ガイド上面２ａを具備している。
さらに、Ｙ方向については、平面視（Ｘ−Ｙ面）で三角形状を呈し、本体吹出口中央部１０ｄ３（−Ｘ方向）になる程＋Ｙ方向に突出している。このため、偏向ガイド２は、平面視（Ｘ−Ｙ面）で直角三角形の偏向ガイド下面２ｂを具備している。また、偏向ガイド２は、側面視（Ｙ−Ｚ面）でも三角形状を呈し、本体吹出口中央部１０ｄ３（−Ｘ方向）になる程＋Ｙ方向に突出している。このため、偏向ガイド２は、側面視（Ｙ−Ｚ面）で直角三角形の偏向ガイド端面２ｃを具備している。
なお、偏向ガイド上面２ａの本体吹出口外側壁１０ｄ２から最も離れた（突出した）位置までの距離を「段差高さＨ」と称す。また、偏向ガイド上面２ａと偏向ガイド下面２ｂとは鋭角をなしている。
【００１６】
（傾斜ガイド）
また、本体吹出口１０ｄの本体吹出口端部壁１０ｄ１に、傾斜ガイド３が設けられている。なお、熱交換器１６は、図３において右下角に熱交換器冷媒受給部１６ａおよび熱交換器冷媒折返部１６ｂが配置され、熱交換器冷媒受給部１６ａおよび熱交換器冷媒折返部１６ｂに挟まれた範囲には、平面視でドレンパン１８は無く、かかる範囲の室内機本体１０には図示しない室外機との繋ぎ込み手段が配置されている。
このため、かかる範囲において、ターボファン１から吹き出された調和空気は、かかる繋ぎ込み手段に遮られるため、本体吹出口１０ｄのうち熱交換器冷媒受給部１６ａおよび熱交換器冷媒折返部１６ｂの位置に対応した位置の本体吹出口端部壁１０ｄ１には、調和空気が流入しなくなる（正確には流入し難くなる）。
このため、本体吹出口１０ｄの本体吹出口端部壁１０ｄ１のうち、熱交換器冷媒受給部１６ａおよび熱交換器冷媒折返部１６ｂの位置に対応した位置の本体吹出口端部壁１０ｄ１には傾斜ガイド３が設置されない。一方、両端の本体吹出口端部壁１０ｄ１から調和空気が流入する図３において、上および左の本体吹出口１０ｄには、その両端にそれぞれ傾斜ガイド３が設置されている。
【００１７】
傾斜ガイド３は、Ｚ方向については、風向ベーン１３の上流側（＋Ｚ方向）である本体吹出口１０ｄの所定範囲に設置され、下方（−Ｚ方向）になる程−Ｘ方向に突出している。すなわち、偏向ガイド２の偏向ガイド上面２ａと、本体吹出口１０ｄの本体吹出口端部壁１０ｄ１および本体吹出口内側壁１０ｄ４に接し、Ｙ軸に平行な下端縁を具備する傾斜ガイド上面３ａを有している。このため、平面視（Ｘ−Ｙ面）において、台形状の傾斜ガイド下面（段差部に同じ）３ｂを具備している。なお、傾斜ガイド上面３ａと傾斜ガイド下面３ｂとは鋭角をなしている。
さらに、本体吹出口１０ｄのＸ方向の両端に設置された一対の傾斜ガイド３について、それぞれの偏向ガイド上面２ａの上縁の本体吹出口内側壁１０ｄ４に接する位置同士の距離を「本体吹出口長手方向寸法Ｌ１」とし、化粧パネル１１の化粧パネル吹出口１１ｂの長手方向（Ｘ方向）の長さを「化粧パネル吹出口長手方向寸法Ｍ１」とすると、後者の方が前者より大きくなる（Ｌ１＜Ｍ１）ように配設されている（図６参照）。
【００１８】
（空気の流れ）
このように構成された空気調和機の室内機１００により、ターボファン１が矢印Ｂ（図３参照）のように回転すると、部屋９０の空気が化粧パネル１１の吸込グリル１１ａ、フィルタ１２を通過し、除塵されて本体吸込口１０ｃ、ベルマウス１４を経由してターボファン１に吸込まれ、その後、熱交換器１６に向けて吹き出される。
そして熱交換器１６において暖房または冷房等の熱交換や除湿（まとめて「調和」と称している）が実行され、調和された空気（「調和空気」と称している）は本体吹出口１０ｄ、化粧パネル吹出口１１ｂから部屋９０に吹き出される。このとき、風向ベーン１３により風向制御がなされる。
【００１９】
（偏向ガイドの作用）
図３〜図６のように本体吹出口１０ｄの本体吹出口端部壁１０ｄ１の近くに偏向ガイド２が形成され、偏向ガイド２は、長手方向（Ｘ方向）で端部から中央になる程（−Ｘ方向になる程）、本体吹出口外側壁１０ｄ２からの突き出し量（段差高さに同じ）が高くなっている。このため、本体吹出口１０ｄへ流入する流れの内、偏向ガイド２へ向けて流入する流れは、本体吹出口外側壁１０ｄ２に沿って流れた後、偏向ガイド上面２ａに沿ってガイドされ、本体吹出口外側壁１０ｄ２から本体吹出口内側壁１０ｄ４の方向（＋Ｙ方向に同じ）へ流れ方向を変えられると共に、本体吹出口中央部１０ｄ３方向から本体吹出口端部壁１０ｄ１の方向（＋Ｘ方向に同じ）へも流れ方向を変えられる。
【００２０】
その結果、本体吹出口１０ｄの本体吹出口内側壁１０ｄ４に近い範囲の全体が増速するため、当該範囲の全体における吹出風速分布が均一化することになる。よって、部屋９０の高湿空気が流入しなくなり結露防止を図ることができる。
なお、従来は、本体吹出口内側壁１０ｄ４に近い範囲を流れる空気の流れが変わら（偏向し）なかったため、結露が発生することがあった。
また、空気流れの低速域が解消するため、吹出流れの直進性が増し天井９１の面と平行な方向（水平）に吹き出しても、天井９１に流れが付着しなくなるから、スマッジングを防止することができる。
さらに、偏向ガイドの長手方向（Ｘ方向）の長さは所定の長さに限定され、必要以上に長くする必要がないため、風路の通風抵抗が減少し、消費電力を減少することができる。なお、従来は、横方向からの流れを制御する必要性から吹出口長手方向（Ｘ方向）で、本体吹出口外側壁からの突き出し量が同一（長手方向で段差高さに同じ）であったため、風路の通風抵抗が増していた。
以上の結果、高品質で省エネな空気調和機の室内機１００を得ることができる。
【００２１】
（傾斜ガイドの作用）
また、図３、図５および図６のように、本体吹出口端部壁１０ｄ１には傾斜ガイド３が設けられ、傾斜ガイド３は、下側（−Ｚ方向）になる程、本体吹出口中央部１０ｄ３に向かって（−Ｘ方向に）突出する傾斜ガイド上面３ａを有するから、本体吹出口外側壁１０ｄ２に設置された偏向ガイド２と接続され、下側（−Ｚ方向）になる程、本体吹出口１０ｄの長手方向寸法を徐々に小さくしている。
このため、熱交換器１６から吹き出した流れが、本体吹出口１０ｄへ向かう際、ドレンパン１８のドレン貯水部１８ａから本体吹出口端部壁１０ｄ１を乗り越えて本体吹出口１０ｄに流入し、傾斜ガイド３にガイドされ、これに沿って剥離せずに本体吹出口１０ｄから吹き出される。
【００２２】
その結果、本体吹出口端部壁１０ｄ１に近い範囲では、短手方向（Ｙ方向）の風速分布が均一化する。なお、従来は、本体吹出口端部壁が垂直（Ｚ軸に平行）であったため、空気の流れが剥離するため、短手方向（Ｙ方向）の角部で風速が低下し、風速分布が不均一になっていた。
これらの結果、本体吹出口１０ｄにおける風速分布が均一化され、本体吹出口端部壁１０ｄ１に近い範囲における空気の流れが安定化する。これによって、さらに部屋９０の高湿空気が本体吹出口１０ｄへ流入しなくなるため、結露防止やスマッジングを防止することができる。
以上の結果、より高品質な空気調和機の室内機１００を得ることができる。
【００２３】
さらに、本体吹出口１０ｄの本体吹出口長手方向寸法Ｌ１に対し、化粧パネル吹出口１１ｂの化粧パネル吹出口長手方向寸法Ｍ１の方が大きくなる（Ｌ１＜Ｍ１）ように配設されているので、化粧パネル吹出口１１ｂの長手方向端部１１ｂ１（図６参照）で負圧が生成される。このため、本体吹出口端部壁１０ｄ１を通過した調和空気は、この負圧により化粧パネル吹出口１１ｂの長手方向に拡大する方向へ吹き出すように流れ方向を変えられると共に、風向ベーン１３の短手方向端部（Ｙ方向）に向かった流れ方向に変えられることから、風向ベーン１３の結露を防止することができる。よって、高品質な空気調和機の室内機１００を得ることができる。
【００２４】
なお、偏向ガイド２の長手方向（Ｘ方向）の長さを「段差長さＬ」とすると、段差高さＨや段差高さＬは、調和空気の流れ込む状況に応じて決定することができるから、全ての偏向ガイド２について同一である必要はない。
すなわち、所定の本体吹出口１０ｄにおいて、ターボファン１の回転方向の上流側（図３において反時計回りの方向）に位置する偏向ガイド２の段差高さＨまたは段差高さＬが、ターボファン１の回転方向の下流側（図３において時計回りの方向）に位置する偏向ガイド２の段差高さＨまたは段差高さＬと相違してもよい。
また、熱交換器冷媒受給部１６ａに近い位置に設けられた偏向ガイド２の段差高さＨまたは段差高さＬが、熱交換器冷媒受給部１６ａに近い位置に設けられた偏向ガイド２の段差高さＨまたは段差高さＬと相違してもよい。
さらに、熱交換器冷媒受給部１６ａに近い位置の本体吹出口１０ｄにおける偏向ガイド２の段差高さＨまたは段差高さＬが、熱交換器冷媒受給部１６ａから遠い位置の本体吹出口１０ｄ２における偏向ガイド２の段差高さＨまたは段差高さＬと相違してもよい。
【００２５】
［実施の形態２］
（空気調和機の室内機−その２）
図７〜図１０は本発明の実施の形態２に係る空気調和機の室内機を説明するものであって、図７は平面視の断面図、図８は本体吹出口付近を拡大して示す側面視の断面図、図９は本体吹出口端部付近を拡大して示す側面視の斜視図、図１０は本体吹出口付近を示す正面視（図７のＡ−Ａ）の断面図を示す。
なお、実施の形態１と同じ部分または相当する部分には同じ符号を付し、一部の説明を省略する。また、各図は模式的に描いたものであって、本発明は図示された形態に限定するものではない。
【００２６】
図７〜図１０において、空気調和機の室内機２００の室内機本体２０は、偏向ガイド２の偏向ガイド上面２ａには本体吹出口外側壁１０ｄ２および偏向ガイド下面２ｂに到達し、Ｙ−Ｚ面に平行な（本体吹出口外側壁１０ｄ２および本体開口面１０ｅの両方に垂直に同じ）偏向ガイドスリット２ｓが、吹出口長手方向（Ｘ方向）で所定間隔を設けて形成されている。
また、傾斜ガイド３の傾斜ガイド上面３ａには本体吹出口端部壁１０ｄ１および傾斜ガイド下面３ｂに到達し、Ｘ−Ｚ面に平行な（本体吹出口外側壁１０ｄ２に平行で、本体開口面１０ｅに垂直に同じ）傾斜ガイドスリット３ｓが、吹出口短手方向（Ｙ方向）で所定間隔を設けて形成されている。
【００２７】
したがって、吹き出された調和空気のうち偏向ガイド２および傾斜ガイド３に向かった調和空気の殆どは、偏向ガイド上面２ａおよび傾斜ガイド上面３ａにガイドされ、実施の形態１において説明したように流れ方向が変えられる。
しかしながら、偏向ガイド上面２ａおよび傾斜ガイド上面３ａにはそれぞれ偏向ガイドスリット２ｓおよび傾斜ガイドスリット３ｓが形成されているため、偏向ガイド２および傾斜ガイド３に向かった調和空気の一部は、偏向ガイド上面２ａおよび傾斜ガイド上面３ａを外れて、偏向ガイドスリット２ｓおよび傾斜ガイドスリット３ｓに流れ込み、これを通過して下方（−Ｚ方向）へ吹き出される。
【００２８】
すなわち、偏向ガイド下面２ｂおよび傾斜ガイド下面３ｂの間から下方（−Ｚ方向）に向かって調和空気の一部が吹き出されるため、風向ベーン１３が風向制御のため回動し流れが変化しても、偏向ガイド下面２ｂおよび傾斜ガイド下面３ｂにおいて化粧パネル吹出口１１ｂから部屋９０の空気が流入しないから、結露しなくなる。
よって、かかる調和空気の流れ方向の変化によっても結露の発生を防止することができ、高品質な空気調和機の室内機２００が得られる。
【００２９】
なお、実施の形態１および２において、偏向ガイド２および傾斜ガイド３をドレンパン１８と一体に形成した例を示したが、別部品として形成して固着して取付る形態にしても良い。
また、各本体吹出口において偏向ガイド２の偏向ガイド上面２ａおよび傾斜ガイド３の傾斜ガイド上面３ａの角度が異なるように形成することで、より各本体吹出口の風速分布に即した状態とし、さらなる結露防止、スマッジング防止、通風抵抗の減少を図すことができる。
【００３０】
［実施の形態３］
（空気調和機の室内機−その３）
図１１〜図１３は本発明の実施の形態３に係る空気調和機の室内機を説明するものであって、図１１は平面視の断面図、図１２は本体吹出口付近を拡大して示す側面視の断面図、図１３は本体吹出口端部付近の部分を拡大して示す側面視の斜視図を示す。なお、実施の形態１と同じ部分または相当する部分には同じ符号を付し、一部の説明を省略する。なお、各図において同じ部分または相当する部分には同じ符号を付している。また、各図は模式的に描いたものであって、本発明は図示された形態に限定するものではない。
【００３１】
図１１〜図１３において、空気調和機の室内機３００の室内機本体３０は、実施の形態１に示す室内機１００の室内機本体１０から、傾斜ガイド３を撤去して、本体吹出口１０ｄに偏向ガイド２のみを設置したものに同じである。
したがって、室内機１００と同様に、本体吹出口１０ｄへ流入する流れの内、偏向ガイド２へ向けて流入する流れは、本体吹出口外側壁１０ｄ２付近を流れた後、偏向ガイド上面２ａに沿ってガイドされ、本体外本体側板１０ｄ２から本体吹出口内側壁１０ｄ４の方向（＋Ｙ方向に同じ）へ流れ方向が変えられると共に、本体吹出口中央部１０ｄ３方向から本体吹出口端部壁１０ｄ１の方向（＋Ｘ方向に同じ）へも流れ方向が変えられる（図１３参照）。
【００３２】
その結果、室内機１００と同様に、本体吹出口１０ｄの本体吹出口内側壁１０ｄ４に近い範囲の全体が増速するため、当該範囲の全体における吹出風速分布が均一化することになる。よって、部屋９０の高湿空気が流入しなくなり結露防止を図ることができる。また、空気流れの低速域が解消するため、吹出流れの直進性が増し天井９１の面と平行な方向（水平に）吹き出しても、天井９１に流れが付着しなくなるから、スマッジングを防止することができる。さらに、偏向ガイドの長手方向（Ｘ方向）の長さは所定の長さ（図１３において「Ｌ」にて示す）に限定され、必要以上に長くする必要がないため、風路の通風抵抗が減少し、消費電力を減少することができる。
以上の結果、高品質で省エネな空気調和機の室内機３００を得ることができる。
【００３３】
［実施の形態４］
（空気調和機の室内機−その４）
図１４および図１５は本発明の実施の形態４に係る空気調和機の室内機を説明するものであって、図１４は平面視の断面図、図１５は本体吹出口端部付近の部分を拡大して示す側面視の斜視図を示す。なお、実施の形態２と同じ部分または相当する部分には同じ符号を付し、一部の説明を省略する。なお、各図において同じ部分または相当する部分には同じ符号を付している。また、各図は模式的に描いたものであって、本発明は図示された形態に限定するものではない。
【００３４】
図１４および図１５において、空気調和機の室内機４００の室内機本体４０は、実施の形態２に示す室内機２００の室内機本体２０から、傾斜ガイド３を撤去して、本体吹出口１０ｄに偏向ガイド２のみを設置したものに同じである。また、室内機本体４０は、実施の形態３に示す室内機３００の室内機本体３０において、偏向ガイド２に偏向ガイドスリット２ｓを形成したものに同じである。
したがって、吹き出された調和空気のうち偏向ガイド２に向かった調和空気の殆どは、偏向ガイド上面２ａにガイドされ、実施の形態１において説明したように流れ方向が変えられると共に、偏向ガイド上面２ａには偏向ガイドスリット２ｓが形成されているため、偏向ガイド２に向かった調和空気の一部は、偏向ガイド上面２ａを外れて、偏向ガイドスリット２ｓに流れ込み、これを通過して下方（−Ｚ方向）へ吹き出される。
【００３５】
すなわち、偏向ガイド下面２ｂの間から下方（−Ｚ方向）に向かって調和空気の一部が吹き出されるため、風向ベーン１３が風向制御のため回動し流れが変化しても、偏向ガイド下面２ｂおよび傾斜ガイド下面３ｂにおいて化粧パネル吹出口１１ｂから部屋９０の空気が流入しないから、結露しなくなる。
よって、かかる調和空気の流れ方向の変化によっても結露の発生を防止することができ、高品質な空気調和機の室内機４００が得られる。
【００３６】
［実施の形態５］
（空気調和機の室内機−その５）
図１６〜図１８は本発明の実施の形態５に係る空気調和機の室内機を説明するものであって、図１６は平面視の断面図、図１７は本体吹出口付近を拡大して示す側面視の断面図、図１８は本体吹出口端部付近の部分を拡大して示す側面視の斜視図を示す。なお、実施の形態２と同じ部分または相当する部分には同じ符号を付し、一部の説明を省略する。なお、各図において同じ部分または相当する部分には同じ符号を付している。また、各図は模式的に描いたものであって、本発明は図示された形態に限定するものではない。
【００３７】
図１６〜図１８において、空気調和機の室内機５００の室内機本体５０は、実施の形態２に示す室内機２００の室内機本体２０から、偏向ガイド２を撤去して、本体吹出口１０ｄに傾斜ガイド３のみを設置したものに同じである。
したがって、室内機２００と同様に、熱交換器１６から吹き出した流れが、本体吹出口１０ｄへ向かう際、ドレンパン１８のドレン貯水部１８ａから本体吹出口端部壁１０ｄ１を乗り越えて本体吹出口１０ｄに流入し、傾斜ガイド３にガイドされ、これに沿って剥離せずに本体吹出口１０ｄから吹き出される。
【００３８】
その結果、本体吹出口端部壁１０ｄ１に近い範囲では、短手方向（Ｙ方向）の風速分布が均一化する。なお、従来は、本体吹出口端部壁が垂直（Ｚ軸に平行）であったため、空気の流れが剥離するため、短手方向（Ｙ方向）の角部で風速が低下し、風速分布が不均一になっていた。これらの結果、本体吹出口１０ｄにおける風速分布が均一化され、本体吹出口端部壁１０ｄ１に近い範囲における空気の流れが安定化する。これによって、さらに部屋９０の高湿空気が本体吹出口１０ｄへ流入しなくなるため、結露防止やスマッジングを防止することができる。
【００３９】
そして、傾斜ガイド上面３ａには傾斜ガイドスリット３ｓが形成されているため、傾斜ガイド３に向かった調和空気の一部は、傾斜ガイド上面３ａを外れて、傾斜ガイドスリット３ｓに流れ込み、これを通過して下方（−Ｚ方向）へ吹き出される。
すなわち、傾斜ガイド下面３ｂの間から下方（−Ｚ方向）に向かって調和空気の一部が吹き出されるため、風向ベーン１３が風向制御のため回動し流れが変化しても、傾斜ガイド下面３ｂにおいて化粧パネル吹出口１１ｂから部屋９０の空気が流入しないから、結露しなくなる。
以上の結果、より高品質な空気調和機の室内機５００を得ることができる。
【産業上の利用可能性】
【００４０】
本発明は天井埋込型の空気調和機の室内機に限定されるものではなく、同様の本体吹出口を具備する各種空気調和機の室内機として広く利用することができる。
【符号の説明】
【００４１】
１：ターボファン、２：偏向ガイド、２ａ：偏向ガイド上面、２ｂ：偏向ガイド下面、２ｃ：偏向ガイド端面、２ｓ：偏向ガイドスリット、３：傾斜ガイド、３ａ：傾斜ガイド上面、３ｂ：傾斜ガイド下面、３ｓ：傾斜ガイドスリット、１０：室内機本体（実施の形態１）、１０ａ：本体天板、１０ｂ：本体側板、１０ｃ：本体吸込口、１０ｄ：本体吹出口、１０ｄ１：本体吹出口端部壁、１０ｄ２：本体吹出口外側壁、１０ｄ３：本体吹出口長手方向中央部（本体吹出口中央部）、１０ｄ４：本体吹出口内側壁、１０ｅ：本体開口面、１１：化粧パネル、１１ａ：吸込グリル、１１ｂ：化粧パネル吹出口、１１ｂ１：化粧パネル吹出口の長手方向端部、１２：フィルタ、１３：風向ベーン、１４：ベルマウス、１５：ファンモータ、１６：熱交換器、１６ａ：熱交換器冷媒受給部、１６ｂ：熱交換器冷媒折返部、１８：ドレンパン、１８ａ：ドレン貯水部、２０：室内機本体（実施の形態２）、３０：室内機本体（実施の形態３）、４０：室内機本体（実施の形態４）、５０：室内機本体（実施の形態５）、９０：部屋、９１：天井、１００：空気調和機の室内機（実施の形態１）、２００：空気調和機の室内機（実施の形態２）、３００：空気調和機の室内機（実施の形態３）、４００：空気調和機の室内機（実施の形態４）、５００：空気調和機の室内機（実施の形態５）、Ｈ：偏向ガイド上面の段差高さ、Ｌ：偏向ガイドの長手方向（Ｘ方向）の長さ、Ｌ１：本体吹出口長手方向寸法、Ｍ１：化粧パネル吹出口長手方向寸法、Ｏ：中心軸。
【図１】
0006022003.tif 000002
【図２】
0006022003.tif 000003
【図３】
0006022003.tif 000004
【図４】
0006022003.tif 000005
【図５】
0006022003.tif 000006
【図６】
0006022003.tif 000007
【図７】
0006022003.tif 000008
【図８】
0006022003.tif 000009
【図９】
0006022003.tif 000010
【図１０】
0006022003.tif 000011
【図１１】
0006022003.tif 000012
【図１２】
0006022003.tif 000013
【図１３】
0006022003.tif 000014
【図１４】
0006022003.tif 000015
【図１５】
0006022003.tif 000016
【図１６】
0006022003.tif 000017
【図１７】
0006022003.tif 000018
【図１８】
0006022003.tif 000019